(57)【特許請求の範囲】
【請求項１】
車両に搭載して用いられる表示装置（１１）であって画像を表示する当該表示装置の表示画面に配置されるタッチパネル（１２）への入力位置（５１）を取得する位置取得部（３２）と、
前記タッチパネルに対する入力操作を行う操作者（３、３ａ、３ｂ）の視点（４２）を取得する視点取得部（３３）と、
前記タッチパネルに対する入力位置の補正を行う補正部（３６）と、
前記位置取得部により取得された前記入力位置と、前記視点取得部により取得された前記視点と、が、所定の補正条件を満たしているか否かを判定する判定部（３４）と、
前記車両における複数のシートそれぞれに配置される電極と、前記タッチパネルと、を用いて、当該タッチパネルに対して入力操作を行った前記操作者が前記車両におけるいずれの座席に座る人であるかを特定する特定部（３１）と、を備え、
前記視点取得部は、前記特定部により特定された前記操作者の視点を取得し、
前記補正部は、前記判定部により前記補正条件を満たしていると判定された場合には、少なくとも前記視点に基づいて前記入力位置の補正を行う一方、前記判定部により前記補正条件を満たしていると判定されていない場合には、前記補正条件を満たしていると判定された場合と比較して前記視点の影響の度合を低くした前記入力位置の補正を行うか、又は、前記補正を行わない、情報処理装置（１６）。
【請求項２】
請求項１に記載の情報処理装置であって、
前記補正部は、前記判定部により前記補正条件を満たしていると判定された場合には、前記入力位置を前記視点の位置とする補正を行う、情報処理装置。
【請求項３】
請求項１又は請求項２に記載の情報処理装置であって、
前記補正条件は、少なくとも、前記入力位置と前記視点とが所定の閾値よりも接近したことを条件の１つとして含む、情報処理装置。
【請求項４】
請求項３に記載の情報処理装置であって、
さらに、前記補正条件を設定する条件設定部（３５）を有しており、
前記条件設定部は、前記所定の閾値を、前記操作者の目の位置と前記視点とを結ぶ線である視線（４３）と、前記表示画面の前記視点の位置における法線と、の為す角度が大きいほど大きくなるように設定する、情報処理装置。
【請求項５】
請求項１又は請求項２に記載の情報処理装置であって、
前記補正条件は、少なくとも、前記入力位置及び前記視点のいずれかに基づく位置を基準とした所定の範囲内に、前記入力位置及び前記視点が位置することを条件の１つとして含む、情報処理装置。
【請求項６】
請求項５に記載の情報処理装置であって、
さらに、前記補正条件を設定する条件設定部（３５）を有しており、
前記条件設定部は、前記所定の範囲を、前記視線と前記タッチパネルの表面が交差する位置と、前記視点と、を含む範囲となるように設定する、情報処理装置。
【請求項７】
画像を表示する表示装置（１１）の表示画面に配置されるタッチパネル（１２）への入力位置（５１）を取得する位置取得部（３２）と、
前記タッチパネルに対する入力操作を行う操作者（３、３ａ、３ｂ）の視点（４２）を取得する視点取得部（３３）と、
前記タッチパネルに対する入力位置の補正を行う補正部（３６）と、
前記位置取得部により取得された前記入力位置と、前記視点取得部により取得された前記視点と、が、所定の補正条件を満たしているか否かを判定する判定部（３４）と、
前記補正条件を設定する条件設定部（３５）と、を備え、
前記補正条件は、少なくとも、前記入力位置と前記視点とが所定の閾値よりも接近したことを条件の１つとして含み、
前記条件設定部は、前記所定の閾値を、前記操作者の目の位置と前記視点とを結ぶ線である視線（４３）と、前記表示画面の前記視点の位置における法線と、の為す角度が大きいほど大きくなるように設定し、
前記補正部は、前記判定部により前記補正条件を満たしていると判定された場合には、少なくとも前記視点に基づいて前記入力位置の補正を行う一方、前記判定部により前記補正条件を満たしていると判定されていない場合には、前記補正条件を満たしていると判定された場合と比較して前記視点の影響の度合を低くした前記入力位置の補正を行うか、又は、前記補正を行わない、情報処理装置（１６）。
【請求項８】
車両に搭載して用いられ、画像を表示する表示装置（１１）と、
前記表示装置の表示画面に配置されるタッチパネル（１２）と、
前記タッチパネルに対する入力操作を行う操作者（３、３ａ、３ｂ）の視点（４２）を
検出する視点検出装置（１３）と、
前記タッチパネルへの入力操作に応じて、所定の制御を実行可能に構成されている情報処理装置（１６）と、を備え、
前記情報処理装置は、
前記タッチパネルから、前記タッチパネルへの入力位置（５１）を示す情報を取得する位置取得部（３２）と、
前記視点検出装置から、前記視点を示す情報を取得する視点取得部（３３）と、
前記タッチパネルに対する入力位置の補正を行う補正部（３６）と、
前記位置取得部により取得された前記入力位置と、前記視点取得部により取得された前記視点と、が、所定の補正条件を満たしているか否かを判定する判定部（３４）と、
前記車両における複数のシートそれぞれに配置される電極と、前記タッチパネルと、を用いて、当該タッチパネルに対して入力操作を行った前記操作者が前記車両におけるいずれの座席に座る人であるかを特定する特定部（３１）と、を備え、
前記視点取得部は、前記特定部により特定された前記操作者の視点を取得し、
前記補正部は、前記判定部により前記補正条件を満たしていると判定された場合には、少なくとも前記視点に基づいて前記入力位置の補正を行う一方、前記判定部により前記補正条件を満たしていると判定されていない場合には、前記補正条件を満たしていると判定された場合と比較して前記視点の影響の度合を低くした前記入力位置の補正を行うか、又は、前記補正を行わない、表示システム（１）。
【発明の詳細な説明】
【技術分野】
【０００１】
本発明は、タッチパネルへの入力に基づいて所定の制御を行う情報処理装置に関する。
【背景技術】
【０００２】
タッチパネルは、操作者のタッチした位置を検出する透光性のセンサをディスプレイの表面に備えており、ディスプレイ表面と操作者がタッチする位置とは、ディスプレイの法線方向に僅かに乖離している。そのため、操作者がディスプレイに対して斜めに位置する場合には、ディスプレイの表示とタッチする位置とにずれが生じやすく、意図した操作を行えない場合があった。
【０００３】
特許文献１では、操作者の位置を検出して、位置に応じた入力位置の補正を行う技術が提案されている。
【先行技術文献】
【特許文献】
【０００４】
【特許文献１】特開２０１５−１５３２７７号公報
【発明の概要】
【発明が解決しようとする課題】
【０００５】
しかしながら、操作者の位置を基準として補正するだけでは、入力位置の適切な補正ができず、誤操作が生じてしまう場合があった。
本発明は、タッチパネルの誤操作を低減する技術を提供することを目的としている。
【課題を解決するための手段】
【０００６】
本開示の第１の態様は、情報処理装置（１６）であって、位置取得部（３２）と、視点取得部（３３）と、補正部（３６）と、判定部（３４）と、を備える。位置取得部は、画像を表示する表示装置（１１）の表示画面に配置されるタッチパネル（１２）への入力位置（５１）を取得する。視点取得部は、上記タッチパネルに対する入力操作を行う操作者（３、３ａ、３ｂ）の視点（４２）を取得する。補正部は、上記タッチパネルに対する入力位置の補正を行う。判定部３４は、上記位置取得部により取得された上記入力位置と、上記視点取得部により取得された上記視点と、が、所定の補正条件を満たしているか否かを判定する。
【０００７】
また上記補正部は、上記判定部により上記補正条件を満たしていると判定された場合には、少なくとも上記視点に基づいて上記入力位置の補正を行う一方、上記判定部により上記補正条件を満たしていると判定されていない場合には、上記補正条件を満たしていると判定された場合と比較して上記視点の影響の度合を低くした上記入力位置の補正を行う。
【０００８】
このような構成によれば、補正条件を満たしている場合には視点に基づいて入力位置の補正がなされる。よって、操作者の希望しない入力を行ってしまうことを抑制できる。また補正条件を満たしていないときには、視点による補正の影響が小さくなるため、視点による補正が適切でない場合に視点による補正を実行してしまうことが抑制でき、操作者の希望しない入力を行ってしまうことを抑制できる。
【０００９】
本開示の第２の態様は、画像を表示する表示装置（１１）と、上記表示装置の表示画面に配置されるタッチパネル（１２）と、上記タッチパネルに対する入力操作を行う操作者（３、３ａ、３ｂ）の視点（４２）を検出する視点検出装置（１３）と、上記タッチパネ
ルへの入力操作に応じて、所定の制御を実行可能に構成されている情報処理装置（１６）と、を備える表示システム（１）である。
【００１０】
上記情報処理装置は、位置取得部（３２）と、視点取得部（３３）と、補正部（３６）と、判定部（３４）と、を備える。
位置取得部は、上記タッチパネルから出力される信号に基づいて、上記タッチパネルへの入力位置（５１）を取得する。視点取得部は、上記視点検出装置から出力される信号に基づいて、上記視点を取得する。補正部は、上記タッチパネルに対する入力位置の補正を行う。判定部は、上記位置取得部により取得された上記入力位置と、上記視点取得部により取得された上記視点と、が、所定の補正条件を満たしているか否かを判定する。
【００１１】
また上記補正部は、上記判定部により上記補正条件を満たしていると判定された場合には、少なくとも上記視点に基づいて上記入力位置の補正を行う一方、上記判定部により上記補正条件を満たしていると判定されていない場合には、上記補正条件を満たしていると判定された場合と比較して上記視点の影響の度合を低くした上記入力位置の補正を行う。
【００１２】
このような構成によれば、上述した本発明の第１の態様の情報処理装置と同様の情報処理装置を有していることから、上記情報処理装置と同様に、操作者の希望しない入力を行ってしまうことを抑制できる。
【００１３】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１４】
【図１】表示システムの構成を示すブロック図である。
【図２】Ｄ／Ｐ判別デバイスの構成を示すブロック図である。
【図３】ＥＣＵの機能を説明するブロック図である。
【図４】ディスプレイ及びタッチパネルを、その上方或いは側方から見た場合における視点等の位置関係を説明する模式図である。
【図５】ディスプレイ及びタッチパネルを正面から見た場合における補正範囲を説明する模式図である。
【図６】位置補正処理のフローチャートである。
【図７】ディスプレイ及びタッチパネルを、その上方或いは側方から見た場合における視点等の位置関係を説明する模式図である。
【図８】ディスプレイ及びタッチパネルを正面から見た場合における補正範囲を説明する模式図である。
【図９】ディスプレイ及びタッチパネルを正面から見た場合における補正範囲を説明する模式図である。
【発明を実施するための形態】
【００１５】
以下、図面を参照しながら、発明を実施するための形態を説明する。
［１．実施形態］
［１−１．構成］
表示システム１は自動車等の車両に搭載されて用いられるシステムであって、図１に示されるように、ディスプレイ１１と、タッチパネル１２と、視線検知デバイス１３と、ドライバー／パッセンジャー判別デバイス（以下、Ｄ／Ｐ判別デバイス）１４と、車両バッテリー１５と、Ｅｌｅｃｔｒｏｎｉｃ  Ｃｏｎｔｒｏｌ  Ｕｎｉｔ（以下、ＥＣＵ）１６と、を備えている。なおＥＣＵ１６が、情報処理装置に相当する。
【００１６】
ディスプレイ１１は、画像を表示可能な液晶や有機ＥＬなどの表示画面を有する表示装置であって、ＥＣＵ１６から入力される信号に従って画像を表示する。
タッチパネル１２は、ディスプレイ１１の表示画面に重ねて配置される光を透過するセンサを有し、該センサに対する入力操作を受け付ける入力装置である。本実施形態では、静電容量方式のタッチパネルを採用している。タッチパネル１２は、操作者３のタッチ操作を入力として受け付け、入力信号としてＥＣＵ１６に出力する。
【００１７】
視線検知デバイス１３は、ドライバーを撮影するカメラ１８ａとパッセンジャーを撮影するカメラ１８ｂとを有しており、それらのカメラから取得した画像を画像解析し、タッチパネル１２に対する入力操作を行う操作者３の視点、車両内における目の位置、及び視線方向を検出する。視線検知デバイス１３はこれらの情報を所定の時間間隔で算出し、ＥＣＵ１６に出力する。画像解析により視点、目の位置や視線方向を検出する方法は周知技術を用いることができる。なお、パッセンジャーとは特に助手席の搭乗者を指す。この視線検知デバイス１３が、視点検出装置に相当する。
【００１８】
Ｄ／Ｐ判別デバイス１４は、図２に示されるように、運転席及び助手席それぞれに設置された容量結合型電極１４ａ、１４ｂを有している。そして、運転席にドライバー３ａが着席した状態でドライバー３ａがタッチパネル１２を操作すると、タッチパネル１２、ドライバー３ａ、容量結合型電極１４ａ、及びＤ／Ｐ判別デバイス１４により構成されるドライバー側の回路がオンとなる。これにより、タッチパネル１２の操作者がドライバー３ａであると判別できる。同様に、パッセンジャー３ｂ側の回路がオンとなれば、タッチパネル１２の操作者がパッセンジャー３ｂであると判別できる。判別結果は、ＥＣＵ１６に出力される。
【００１９】
説明を図１に戻る。車両バッテリー１５は、ＥＣＵ１６に電力を供給する。
ＥＣＵ１６は、ＣＰＵ２１と、ＲＡＭ、ＲＯＭ、フラッシュメモリ等の半導体メモリ（以下、メモリ２２）と、を有する周知のマイクロコンピュータを中心に構成される。ＥＣＵ１６の各種機能は、ＣＰＵ２１が非遷移的実体的記録媒体に格納されたプログラムを実行することにより実現される。この例では、メモリ２２が、プログラムを格納した非遷移的実体的記録媒体に該当する。また、このプログラムの実行により、プログラムに対応する方法が実行される。なお、ＥＣＵ１６を構成するマイクロコンピュータの数は１つでも複数でもよい。
【００２０】
ＥＣＵ１６は、ＣＰＵ２１がプログラムを実行することで実現される機能の構成として、図３に示すように、Ｄ／Ｐ特定部３１と、位置取得部３２と、視点取得部３３と、判定部３４と、条件設定部３５と、補正部３６と、を備える。ＥＣＵ１６を構成するこれらの要素を実現する手法はソフトウェアに限るものではなく、その一部又は全部の要素を、論理回路やアナログ回路等を組み合わせたハードウェアを用いて実現してもよい。
【００２１】
Ｄ／Ｐ特定部３１は、タッチパネル１２を操作する操作者３が、車両におけるいずれの座席に座る人であるかを特定する。本実施形態で対象とする座席は、運転席と助手席である。なお、タッチパネル１２が上記座席以外の搭乗者により操作可能な位置に配置されているときは、運転席及び助手席以外に座る搭乗者を特定するように構成することができる。
【００２２】
位置取得部３２は、タッチパネル１２に対して操作者３がタッチした位置である入力位置を取得する。操作者３がタッチパネル１２にタッチすると、タッチパネル１２から入力信号が出力される。位置取得部３２は、その信号に基づいて、操作者３が接触したタッチパネル１２上の位置を特定する。
【００２３】
視点取得部３３は、操作者３の視点、操作者３の目の位置であるアイポイント、及び視線を、視線検知デバイス１３から出力される信号に基づき取得する。ここでいう操作者３の視点とは、ディスプレイ１１の表示画面上の地点であって、３次元の座標で特定される。アイポイントは、車両内における３次元空間上の座標で特定される。視線は視点とアイポイントを結ぶ直線である。
【００２４】
判定部３４は、位置取得部３２により取得されたタッチパネル１２の入力位置と、視点取得部３３により取得された操作者３の視点と、が、所定の補正条件を満たしているか否かを判定する。本実施形態における補正条件とは、入力位置と視点との距離が所定の閾値以下となっていることである。
【００２５】
条件設定部３５は、上述した補正条件を設定する。つまり条件設定部３５は、上述した閾値を状況に応じて変化させる。
補正条件の設定の方法を、図４を用いて説明する。上述した閾値は、タッチパネル１２の表面における視線４３と交差する位置である交差位置４４と、視点４２と、の距離Ｌである。図４において、ディスプレイ１１におけるタッチパネル１２との境界の部分に、表示画面１１ａが存在する。
【００２６】
視点取得部３３は、アイポイント４１と視点４２とを結ぶ視線４３を取得している。またメモリ２２には、ディスプレイ１１におけるタッチパネル１２側の表面、即ち表示画面１１ａから、タッチパネル１２の表面までの距離が記憶されている。これらから、交差位置４４の座標を算出することができる。
【００２７】
ここで、交差位置４４は、視点４２が同一であっても、ディスプレイ１１の法線４５と視線４３との為す角度Ａに応じて変化する。即ち、距離Ｌの値は、角度Ａによって変化する。そこで条件設定部３５は、視線４３を求めることにより、そのときの距離Ｌの値を算出し、補正条件の閾値として設定する。
【００２８】
補正部３６は、タッチパネル１２に対する入力位置の補正を行う。その補正の内容は、判定部３４により補正条件を満たしていると判定されているか否かにより変化する。補正条件が満たされている場合、少なくとも検出された視点４２に基づく補正が行われるが、補正条件が満たされていない場合には、補正条件が満たされている場合と比較して視点４２の影響の度合を低くした補正を行う。ここでいう、視点４２の影響の度合を低くした補正とは、補正を行うにあたって全く視点４２を考慮しない補正を含むと共に、さらに、補正量が０であること、即ち補正を行わない場合も含む。
【００２９】
上述した、視点の影響の度合、とは、補正後の入力位置において視点のパラメータが関与している割合ということもできる。以下の説明においては、補正が行われた後の入力位置を、視点の影響の有無にかかわらず、補正位置とも記載する。
【００３０】
補正条件が満たされている場合の補正位置は、補正条件が満たされていない場合の補正位置、或いは補正しない場合の入力位置と比較して、より視点４２に近い位置となる。
本実施形態では、判定部３４により補正条件を満たしていると判定された場合には、入力位置を視点４２の位置とする補正を行う。つまり視点４２の位置がそのまま補正位置となる。
【００３１】
図５は、ディスプレイ１１及びタッチパネル１２を正面から見た図である。理解を容易にする目的で、視点４２と交差位置４４との間の距離を十分に大きく示している。補正範囲４７は、視点４２を中心とし、半径が距離Ｌに設定された円である。操作者３の指４９による入力位置５１が、補正範囲４７の内側の領域であれば、視点４２と入力位置５１と
の距離が距離Ｌ以下となり、補正条件を満たす。一方、入力位置５１が補正範囲４７の外側の領域であれば、補正条件を満たさない。このように、補正条件は、視点４２を中心とする所定の範囲内に入力位置５１があること、とも言い換えることができる。
【００３２】
交差位置４４は、操作者３の視点４２とアイポイント４１とを結ぶ直線上にあるため、操作者３が視点４２をタッチしようとしたときには、交差位置４４にタッチしてしまいやすくなる。よって、交差位置４４をタッチしたときには、視点４２をタッチしたものとして処理を行うことで、操作者３の意図する操作を実現しやすくなる。上記補正条件は、交差位置４４をタッチしたときに補正位置が視点４２の位置となる補正がなされる条件となっている。
【００３３】
なお、補正条件における閾値は、入力位置５１が交差位置４４から視点４２と反対の方向にずれてもよいように、距離Ｌよりも大きく設定してもよい。
なお、図示しないが、ＥＣＵ１６は、タッチパネル１２への入力操作に応じて、画面表示、ナビゲーション、音楽、空調など、車内環境や走行状態の制御といった様々な制御を実行可能に構成されている。
【００３４】
［１−２．処理］
次に、ＥＣＵ１６のＣＰＵ２１が実行する位置補正処理について、図６のフローチャートを用いて説明する。
【００３５】
まずＳ１では、ＣＰＵ２１は、プレタッチ検出を行う。タッチパネル１２は、操作者３の指がタッチパネル１２に接触する前に、静電容量の変化から指の接近を検出できる。ここでは、指が接近したことを検出する。
【００３６】
Ｓ２では、ＣＰＵ２１は、Ｄ／Ｐ判別デバイス１４から、操作者３がドライバーであるかパッセンジャーであるかを判別するための情報を取得する。
Ｓ３では、ＣＰＵ２１は、操作者３がパッセンジャーであるか否かを判定する。操作者３がパッセンジャーであれば、処理がＳ４に移行する。一方、操作者３がパッセンジャーでなければ、即ち操作者３がドライバーであれば、処理がＳ５に移行する。
【００３７】
Ｓ４では、ＣＰＵ２１は、パッセンジャー席用のカメラ１８ｂを有効化する。またＳ５では、ＣＰＵ２１は、ドライバー席用のカメラ１８ａを有効化する。
Ｓ６では、ＣＰＵ２１は、タッチパネル１２への操作者３の入力位置５１を取得する。
【００３８】
Ｓ７では、ＣＰＵ２１は、操作者３の視線４３、視点４２、アイポイント４１などの情報を取得する。
Ｓ８では、ＣＰＵ２１は、Ｓ６にて取得した入力位置５１と、Ｓ７にて取得した視点４２と、に基づいて、補正条件の閾値である距離Ｌを算出する。
【００３９】
Ｓ９では、ＣＰＵ２１は、入力位置５１が補正条件を満たすか否かを判定する。入力位置５１が補正条件を満たしていれば、処理がＳ１０に移行する。一方、入力位置５１が補正条件を満たしていなければ、処理がＳ１１に移行する。
【００４０】
Ｓ１０では、ＣＰＵ２１は、入力位置５１を視点４２の位置に補正する。その後、本処理を終了する。このＳ１０の処理により、視点４２の位置に入力操作がなされたものとして、ＥＣＵ１６による処理が実行される。
【００４１】
Ｓ１１では、ＣＰＵ２１は、視点４２の位置に基づかずに、入力位置５１の補正を行う。ここでは、図７に示されるように、アイポイント４１と入力位置５１とを結ぶ直線をデ
ィスプレイ１１まで延長した場合の入力予想位置５２を算出する。そして、入力予想位置５２を補正位置とする。その後、本処理を終了する。このＳ１１の処理により、入力予想位置５２の位置に入力操作がなされたものとして、ＥＣＵ１６による処理が実行される。
【００４２】
［１−３．効果］
以上詳述した第１実施形態によれば、以下の効果が得られる。
（１ａ）本実施形態の表示システム１では、ＥＣＵ１６は、視点４２と入力位置５１とが補正条件を満たせば、即ち、それらが距離Ｌ以下に接近していれば、操作者３の視点４２を補正位置として入力操作を受け付ける。よって、ディスプレイ１１を斜め方向から見ることによってタッチパネル１２の実際の入力位置５１と希望する入力位置との間にずれが生じてしまい、その結果、操作者の希望通りの入力ができなくなってしまうことを抑制できる。
【００４３】
また、視点４２が入力位置５１と接近していない場合は、視点４２を入力位置５１として補正しない。よって、操作者が入力位置５１とは全く異なる位置を見ているときに、操作者の想定しない入力操作が受け付けられてしまうことを抑制できる。
【００４４】
（１ｂ）条件設定部３５は、ディスプレイ１１の表示画面１１ａの法線４５と視線４３との為す角度Ａが大きくなるほど、補正条件の閾値を大きく設定する。よって、操作者３のアイポイント４１に応じた適切な条件を設定することができる。
【００４５】
［２．他の実施形態］
以上、本発明を実施するための形態について説明したが、本発明は上述の実施形態に限定されることなく、種々変形して実施することができる。
【００４６】
（２ａ）上記実施形態では、ディスプレイ１１とタッチパネル１２の形状については特に限定されていないが、いずれか一方又は両方の表面が曲面状に形成されていてもよい。例えば、平面状のディスプレイに曲面状のタッチパネルが配置される構成が考えられる。なお、その場合には、ディスプレイとタッチパネルの間に、一方の面がディスプレイに沿った平面状であり、他方の面が曲面状でタッチパネルが配置される、光を透過する板状の部材を配置してもよい。
【００４７】
（２ｂ）上記実施形態では、視点４２と入力位置５１との距離が所定の閾値よりも接近していることを条件として、視点４２を補正位置とする構成を例示したが、上述した補正条件は、上記実施形態の内容に限定されない。
【００４８】
例えば、視点４２や交差位置４４などに基づく位置を基準とした所定の範囲内に、入力位置５１及び視点４２が位置することを補正条件としてもよい。具体的な例としては、図８に示されるように、視点４２と交差位置４４の中心点４５を中心とする円である補正範囲４７ａ内に入力操作がなされたときに、補正条件を満たすと判定することが考えられる。
【００４９】
なお、このように補正範囲を設定する場合には、補正範囲を、交差位置４４と、視点４２と、を含む広さとなるように設定することが考えられる。このような補正範囲であれば、操作者３が視点４２の位置に入力操作を行いたい場合に生じた誤操作に対して補正を行うことができる。
【００５０】
また、例えば、図８に示されるように、視点４２と交差位置４４とを結ぶ直線と直交する直線であって、視点４２を通過する直線４７ｂと、交差位置４４を通過する直線４７ｃと、の間の領域にタッチ入力がなされたときに、補正条件が満たされたと判定される構成
であってもよい。
【００５１】
また、例えば、図９に示されるように、タッチパネル１２を矩形などの複数のブロック５５に区切り、入力位置５１又は視点４２が位置するブロック５５に対して予め設定されたブロックを、上述した補正範囲としてもよい。例えば、当該ブロック５５のみを補正範囲としたり、当該ブロック５５及びその周囲のブロック５５を補正範囲としたりすることが考えられる。また、このブロック５５の大きさが、視線の角度などに基づいて変化する構成であってもよい。
【００５２】
（２ｃ）補正条件には、入力位置５１と視点４２とに関する条件のみでなく、他の条件を含めてもよい。例えば走行速度が一定値以上であれば、視点４２に基づく補正を行わないように構成されていてもよい。また、ディスプレイ１１を一定時間以上注視している場合にのみ、視点４２に基づく補正を行うように構成されていてもよい。
【００５３】
（２ｄ）検出される視点４２の位置は、入力操作が行われたタイミングの視点４２の位置としてもよいし、入力操作前、入力操作後、又は入力操作前後の一定の期間における視点４２の位置の履歴に基づいた位置であってもよい。後者の例としては、入力操作の直前の０．５秒間における視点の相加平均をとることが考えられるが、重み付けを行ったり、明確なノイズを除去したりしてもよい。
【００５４】
（２ｅ）上記実施形態では、図６のＳ１０では、視点４２が補正位置となる構成を例示したが、視点４２に基づく補正が行われる構成であれば、上記実施形態とは別の補正処理が行われる構成であってもよい。例えば、入力位置５１と視点４２の中心の位置を補正位置とする補正が行われる構成とすることが考えられる。また、例えば、ディスプレイ１１に複数のボタンが隣接して表示されており、入力位置５１がその複数のボタンの境界近傍であった場合には、視点４２が位置する側のボタンが選択されたと判断されるように構成されていてもよい。
【００５５】
（２ｆ）上記実施形態では、図６のＳ１１において、視点４２に基づかない補正を行う構成を例示した。しかしながら、Ｓ１０の場合と比較して視点の影響の度合を低くした補正であれば、視点４２を利用した別の補正処理が行われる構成であってもよい。例えば、Ｓ１０では視点４２を補正位置とするのに対して、Ｓ１２では入力位置５１と視点４２の中心位置を入力位置５１として補正することが考えられる。またＳ１１においては、補正の処理を行わないように構成されていてもよい。
【００５６】
（２ｇ）上記実施形態では、補正条件となる閾値を、ディスプレイ１１の表示画面１１ａの法線４５と視線４３との為す角度Ａが大きくなるほど大きくなる構成を例示したが、上記閾値は一定であって、変化しないように構成されていてもよい。
【００５７】
（２ｈ）上記各実施形態における１つの構成要素が有する機能を複数の構成要素に分担させたり、複数の構成要素が有する機能を１つの構成要素に発揮させたりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５８】
（２ｉ）上述したＥＣＵ１６の他、当該ＥＣＵ１６を構成要素とする表示システム１、当該ＥＣＵ１６としてコンピュータを機能させるためのプログラム、このプログラムを記
録した半導体メモリ等の非遷移的実態的記録媒体、入力方法など、種々の形態で本発明を実現することもできる。
【符号の説明】
【００５９】
１…表示システム、１１…ディスプレイ、１２…タッチパネル、１６…ＥＣＵ、３２…位置取得部、３３…視点取得部、３４…判定部、３６…補正部、４２…視点、５１…入力位置
【図１】
0006583113.tif 000002
【図２】
0006583113.tif 000003
【図３】
0006583113.tif 000004
【図４】
0006583113.tif 000005
【図５】
0006583113.tif 000006
【図６】
0006583113.tif 000007
【図７】
0006583113.tif 000008
【図８】
0006583113.tif 000009
【図９】
0006583113.tif 000010